(57)【要約】【課題】生体認証が行われていないユーザによって不正に使用されるおそれがない生体認証機能付き画像読取記録装置及び生体認証機能付き画像読取装置を提供する。【解決手段】複数のユーザの生体認証情報を記憶する手段と、ユーザの生体認証情報を取得する手段と、取得された生体認証情報を、記憶された生体認証情報と照合し、その照合結果に基づいて使用を許可又は拒否する手段と、使用が許可された場合に、操作信号を入力する手段と、入力された操作信号が操作実行信号である場合に、入力された操作実行信号に対応する操作を実行すると共に、使用が許可された状態を解除する手段と、を備えた生体認証機能付き画像読取記録装置１。【選択図】図２
2008092392.tif 000002
【特許請求の範囲】
【請求項１】
複数のユーザの生体認証情報を記憶する手段と、
ユーザの生体認証情報を取得する手段と、
取得された生体認証情報を、記憶された生体認証情報と照合し、その照合結果に基づいて使用を許可又は拒否する手段と、
使用が許可された場合に、操作信号を入力する手段と、
入力された操作信号が操作実行信号である場合に、入力された操作実行信号に対応する操作を実行すると共に、使用が許可された状態を解除する手段と、
を備えたことを特徴とする生体認証機能付き画像読取記録装置。
【請求項２】
入力された操作信号が操作実行信号である場合に、取得された生体認証情報を消去する手段を備えた請求項１記載の生体認証機能付き画像読取記録装置。
【請求項３】
複数のユーザの生体認証情報を記憶する手段と、
ユーザの生体認証情報を取得する手段と、
取得された生体認証情報を、記憶された生体認証情報と照合し、その照合結果に基づいて使用を許可又は拒否する手段と、
使用が許可された場合に、操作信号を入力する手段と、
入力された操作信号が操作実行信号である場合に、入力された操作実行信号に対応する操作を実行すると共に、使用が許可された状態を解除する手段と、
を備えたことを特徴とする生体認証機能付き画像読取装置。
【請求項４】
入力された操作信号が操作実行信号である場合に、取得された生体認証情報を消去する手段を備えた請求項３記載の生体認証機能付き画像読取装置。
【発明の詳細な説明】
【技術分野】
【０００１】
本発明は、指紋等の生体認証情報〔バイオメトリクス認証情報（人間の身体的特徴）〕を用いてユーザを認証する機能を備えた生体認証機能付き画像読取記録装置及び生体認証機能付き画像読取装置に関するものである。
【背景技術】
【０００２】
従来のこの種の技術としては、ユーザの指紋を読み取る手段と、読み取られた指紋を、登録されている指紋と照合する手段と、指紋の照合結果によってユーザを認証する手段とを備えた画像形成装置が知られている（例えば、特許文献１参照）。
【特許文献１】特開２００５−１０９２４号公報（特許請求の範囲、図５等）
【発明の開示】
【発明が解決しようとする課題】
【０００３】
上記のような指紋認証機能付きの画像形成装置において、ユーザに対する指紋認証が行われて使用が許可された場合、そのユーザにより使用許可状態の解除（クリア）操作が行われるか、あるいは無操作時間が設定時間に達するまでは、使用許可状態が保持されるのが一般的である。
【０００４】
そのため、使用許可状態が保持されているときにそのユーザが画像形成装置から離れた場合には、他のユーザが画像形成装置を操作したり、カスタマイズしておいたユーザ専用の登録操作や登録情報を変更したりすることができる。
【０００５】
このように、従来の画像形成装置は、指紋認証機能を有しているものの、指紋認証が行われていない他のユーザによって不正に使用されるおそれがあるというセキュリティ上の問題を有している。
【０００６】
本発明は、以上のような事情や問題点に鑑みてなされたものであり、生体認証が行われていないユーザによって不正に使用されるおそれがない生体認証機能付き画像読取記録装置及び生体認証機能付き画像読取装置を提供することを目的とする。
【課題を解決するための手段】
【０００７】
上記目的を達成するための請求項１の生体認証機能付き画像読取記録装置は、複数のユーザの生体認証情報を記憶する手段と、ユーザの生体認証情報を取得する手段と、取得された生体認証情報を、記憶された生体認証情報と照合し、その照合結果に基づいて使用を許可又は拒否する手段と、使用が許可された場合に、操作信号を入力する手段と、入力された操作信号が操作実行信号である場合に、入力された操作実行信号に対応する操作を実行すると共に、使用が許可された状態を解除する手段と、を備えたものである。
【０００８】
請求項２の生体認証機能付き画像読取記録装置は、入力された操作信号が操作実行信号である場合に、取得された生体認証情報を消去する手段を備えたものである。
【０００９】
また、請求項３の生体認証機能付き画像読取装置は、複数のユーザの生体認証情報を記憶する手段と、ユーザの生体認証情報を取得する手段と、取得された生体認証情報を、記憶された生体認証情報と照合し、その照合結果に基づいて使用を許可又は拒否する手段と、使用が許可された場合に、操作信号を入力する手段と、入力された操作信号が操作実行信号である場合に、入力された操作実行信号に対応する操作を実行すると共に、使用が許可された状態を解除する手段と、を備えたものである。
【００１０】
請求項４の生体認証機能付き画像読取装置は、入力された操作信号が操作実行信号である場合に、取得された生体認証情報を消去する手段を備えたものである。
【発明の効果】
【００１１】
請求項１及び請求項３の発明によれば、生体認証情報が取得されたユーザが生体認証機能付き画像読取記録装置又は生体認証機能付き画像読取装置から離れた場合であっても、生体認証が行われていない他のユーザによって不正に使用されるおそれがない。
【００１２】
請求項２及び請求項４の発明によれば、取得された生体認証情報の漏洩を確実に防止することができる。
【発明を実施するための最良の形態】
【００１３】
以下、本発明の実施形態を図面に基づいて説明する。
第１実施形態に係る生体認証機能付き画像読取記録装置１は、図１に示すように、主な構成要素として、制御部２、フラッシュメモリ３、ＲＡＭ（random access memory、随時書き込み読み出しメモリ）４、画像メモリ５、コーデック（ＣＯＤＥＣ）６、モデム７、ＮＣＵ（network control unit、回線網制御装置）８、表示部９、操作部１０、読取部１１、記録部１２、生体認証情報取得部１３、及びＬＡＮ（local area network、構内情報通信網）インターフェース〔ＬＡＮ Ｉ／Ｆ〕１４を備えたものであり、各構成要素はバス１５を介して互いに通信可能に接続されている。
【００１４】
フラッシュメモリ３は、各構成要素の動作を制御するための制御プログラムの他、複数のユーザの生体認証情報等を記憶している。ここでいう生体認証情報とは、生体認証（バイオメトリクス認証）で用いられる人間の身体的特徴をいう。このような生体認証情報としては、指紋、網膜、虹彩、声紋、手のひらの静脈パターン、顔形等が挙げられる。なお、記憶手段は、フラッシュメモリ３の他、ＨＤＤ（ハードディスクドライブ）、ＲＯＭ（read only memory、読み出し専用メモリ）等であってもよい。
【００１５】
制御部２は、ＣＰＵ（central processing unit、中央処理装置）等で構成されており、フラッシュメモリ３上の制御プログラム等に従って各構成要素の動作を制御する。
【００１６】
ＲＡＭ４は、生体認証機能付き画像読取記録装置１に関する各種の情報を一時的に記憶する。
【００１７】
読取部１１は、原稿の画像を画像データとして読み取る。画像メモリ５は、読み取られた画像データを一時的に記憶する。記録部１２は、記憶された画像データ等を電子写真方式等により記録用紙に記録（印刷）する。このように、生体認証機能付き画像読取記録装置１は、原稿の画像を読み取る手段、読み取られた画像を記憶する手段、及び記憶された画像を記録用紙に記録する手段も備えている。
【００１８】
表示部９は、操作部１０等に併設されたＬＣＤ（liquid crystal display、液晶ディスプレイ）等で構成されており、各種の情報を表示する。
【００１９】
操作部１０は、操作実行キー２１等の各種の操作をするための操作キーを備えている。操作キーを押し下げた場合、その操作キーに対応する操作信号が入力される。操作実行キー２１を押し下げた場合、その操作実行キーに対応する操作実行信号が入力される。操作実行信号が入力された場合、その操作実行信号に対応する操作が実行される。
【００２０】
操作実行キー２１としては、コピー、ファクス送信、インターネットファクス送信、原稿の画像の読み取り（スキャン）等の装置動作を開始するためのスタートキー、一連の操作が登録された登録操作を実行するための登録操作実行キー、電話帳等の登録情報を登録するための登録キー等が挙げられる。
【００２１】
このように、生体認証機能付き画像読取記録装置１に対するユーザによる各種の操作は、操作部１０を通じて行われる。なお、表示部９をタッチパネルとしておき、このタッチパネルとしての表示部９が操作部１０としても機能するように構成してもよい。
【００２２】
生体認証情報取得部１３は、ユーザの生体認証情報を取得する。このような生体認証情報取得部１３としては、指紋、網膜、虹彩、手のひらの静脈パターン、顔形等を読み取るためのスキャナ、声紋等を取得するためのマイクロフォン等が挙げられる。
【００２３】
コーデック６は、読み取られた画像データを送信等のためにＭＨ（modified huffman）方式、ＭＲ（modified read）方式、ＭＭＲ（modified modified read）方式等により符号化したり、受信した画像データを復号化したりする。
【００２４】
モデム７は、ＩＴＵ−Ｔ（国際電気通信連合−電気通信標準化部門）の勧告Ｖ．３４規格等に従った送信データの変調及び受信データの復調を行う。
【００２５】
ＮＣＵ８は、ＰＳＴＮ（public switched telephone network、公衆電話交換網）３１に接続されており、電話回線を制御して電話をかけたり切ったりする。
【００２６】
ＬＡＮインターフェース１４は、ＬＡＮ３２に接続されている。これらＬＡＮインターフェース１４及びＬＡＮ３２は、インターネット３３に接続されている。
【００２７】
上記のように構成された生体認証機能付き画像読取記録装置１は、コピー機の他、ファクス通信機、インターネットファクス通信機、ネットワークプリンタ、及びネットワークスキャナ等として機能する複合機である。なお、生体認証機能付き画像読取記録装置１は、ＵＳＢ（universal serial bus）インターフェース等の適宜のインターフェースを介して外部コンピュータと接続され、コピー機、ファクス通信機、ローカルプリンタ、及びローカルスキャナ等として機能する複合機であってもよい。但し、生体認証機能付き画像読取記録装置１は、複合機でなくてもよく、少なくともコピー機として機能するものであればよい。
【００２８】
次に、使用許可状態の解除処理例を図２に示すフローチャートに基づいて説明する。なお、この処理は、フラッシュメモリ３上の制御プログラム等に基づいて制御部２が発行する命令に従って行われる。
【００２９】
この処理において、生体認証情報取得部１３によりユーザの生体認証情報が取得された場合（ステップＳ１）、取得された生体認証情報がフラッシュメモリ３上の生体認証情報を照合される（ステップＳ２）。
【００３０】
その結果、取得された生体認証情報がフラッシュメモリ３上の生体認証情報と一致した場合は、使用が許可される（ステップＳ３でＹＥＳ）。一方、取得された生体認証情報がフラッシュメモリ３上の生体認証情報と一致しなかった場合は、使用が拒否され（ステップＳ３でＮＯ）、ステップＳ１に戻る。
【００３１】
使用が許可された場合（ステップＳ３でＹＥＳ）、操作部１０により操作信号が入力される（ステップＳ４）。
【００３２】
入力された操作信号が操作実行信号である場合は（ステップＳ５でＹＥＳ）、入力された操作実行信号に対応する操作が実行されると共に、使用が許可された状態が解除され（ステップＳ６）、処理が終了する。一方、入力された操作信号が操作実行信号でない場合は（ステップＳ５でＮＯ）、ステップＳ４に戻る。
【００３３】
ここで、入力された操作信号が操作実行信号である場合に（ステップＳ５でＹＥＳ）、取得されかつＲＡＭ４により一時的に記憶されている生体認証情報を消去するようにしておけば、取得された生体認証情報の漏洩を確実に防止できるという利点がある。
【００３４】
このように、生体認証機能付き画像読取記録装置１によれば、入力された操作実行信号に対応する操作の実行と共に、使用が許可された状態を自動的に解除するようにしているので、生体認証情報が取得されたユーザが生体認証機能付き画像読取記録装置１から離れた場合であっても、生体認証が行われていない他のユーザによって不正に使用されるおそれがないという利点がある。
【００３５】
第２実施形態に係る生体認証機能付き画像読取装置４１は、図３に示すように、主な構成要素として、それぞれ第１実施形態の生体認証機能付き画像読取記録装置１と同様に構成された制御部２、フラッシュメモリ３、ＲＡＭ４、画像メモリ５、コーデック６、表示部９、操作部１０、読取部１１、生体認証情報取得部１３、及びＬＡＮインターフェース１４を備えたものであり、各構成要素はバス１５を介して互いに通信可能に接続されている。
【００３６】
この生体認証機能付き画像読取装置４１は、ＬＡＮインターフェース１４を介してＬＡＮ３２に接続されており、ネットワークスキャナ等として機能する。このように、生体認証機能付き画像読取装置４１は、原稿の画像を読み取る手段、及び読み取られた画像を記憶する手段も備えている。なお、生体認証機能付き画像読取装置４１は、ＵＳＢインターフェース等の適宜のインターフェースを介して外部コンピュータと接続されたローカルスキャナ等として機能するようにしてもよい。
【００３７】
上記のように構成された生体認証機能付き画像読取装置４１においては、使用許可状態の解除処理が第１実施形態と同様にして実行されるので、第１実施形態と同様の利点がある。
【産業上の利用可能性】
【００３８】
以上のように、本発明に係る生体認証機能付き画像読取記録装置及び生体認証機能付き画像読取装置は、生体認証が行われていないユーザによる不正使用を防止する用途に適している。
【図面の簡単な説明】
【００３９】
【図１】第１実施形態に係る生体認証機能付き画像読取記録装置の構成例を示すブロック図。
【図２】使用許可状態の解除処理例を示すフローチャート。
【図３】第２実施形態に係る生体認証機能付き画像読取装置の構成例を示すブロック図。
【符号の説明】
【００４０】
１  生体認証機能付き画像読取記録装置
２  制御部
３  フラッシュメモリ
４  ＲＡＭ
５  画像メモリ
６  コーデック
１０  操作部
１１  読取部
１２  記録部
１３  生体認証情報取得部
２１  操作実行キー
４１  生体認証機能付き画像読取装置
【図１】
2008092392.tif 000003
【図２】
2008092392.tif 000004
【図３】
2008092392.tif 000005